(57)【要約】【課題】水中において被観察物を明瞭かつ容易に観察することができると共に、陸上においても拡大鏡として支障なく使用することができるようにした水中拡大鏡を提供する。【解決手段】第一支持フレーム１の支持孔３内に第一凸レンズ５を嵌着し、第二支持フレーム７の支持孔９内に第二凸レンズ１１を嵌着し、該第二支持フレームを該第一支持フレームに取り外し自在に螺着し、該第二支持フレームを該第一支持フレームに螺着したときに該第一凸レンズと該第二凸レンズとの間に密閉された空気室１７が形成され、該第一支持フレームには把持部１９を備えさせた水中拡大鏡。前記把持部には係止手段２１を備えさせる。【選択図】図２
0003196638.tif 000002
【実用新案登録請求の範囲】
【請求項１】
第一支持フレームの支持孔内に第一凸レンズを嵌着し、第二支持フレームの支持孔内に第二凸レンズを嵌着し、該第二支持フレームを該第一支持フレームに取り外し自在に螺着し、該第二支持フレームを該第一支持フレームに螺着したときに該第一凸レンズと該第二凸レンズとの間に密閉された空気室が形成され、該第一支持フレームには把持部を備えさせたことを特徴とする水中拡大鏡。
【請求項２】
前記把持部には係止手段を備えさせたことを特徴とする請求項１に記載の水中拡大鏡。
【考案の詳細な説明】
【技術分野】
【０００１】
本考案は、水中拡大鏡に関するものであり、特に水中の小さな生物等の被観察物を明瞭かつ容易に観察することができるようにした水中拡大鏡に係るものである。
【背景技術】
【０００２】
水中拡大鏡としては、支持フレームの支持孔内に凸レンズを嵌着し、該支持フレームに把持部を備えさせてなるものが従来より知られている。
【考案の概要】
【考案が解決しようとする課題】
【０００３】
上記従来の水中拡大鏡においては、これを水中で使用したときには、被観察物を明瞭かつ容易に観察することができないという問題がある。
【０００４】
本考案は、従来の水中拡大鏡におけるこのような問題を解決し、水中において被観察物を明瞭かつ容易に観察することができると共に、陸上においても拡大鏡として支障なく使用することができるようにした水中拡大鏡を提供しようとしてなされたものである。
【課題を解決するための手段】
【０００５】
上記課題を解決するために、本考案は、下記の水中拡大鏡を提供するものである。
【０００６】
（１）第一支持フレームの支持孔内に第一凸レンズを嵌着し、第二支持フレームの支持孔内に第二凸レンズを嵌着し、該第二支持フレームを該第一支持フレームに取り外し自在に螺着し、該第二支持フレームを該第一支持フレームに螺着したときに該第一凸レンズと該第二凸レンズとの間に密閉された空気室が形成され、該第一支持フレームには把持部を備えさせたことを特徴とする水中拡大鏡（請求項１）。
【０００７】
（２）前記把持部には係止手段を備えさせる（請求項２）。
【考案の効果】
【０００８】
［請求項１の発明］
請求項１の考案によれば、第二支持フレームを第一支持フレームに螺着したときには、第一凸レンズと第二凸レンズとが当該両凸レンズ間に空気室を介在させた状態で並列されるため、水中において被観察物を明瞭かつ容易に観察することができる。また、この水中拡大鏡は構造が簡単であり、安価に提供することができる。
更に、第二支持フレームを第一支持フレームから取り外したときには、支持孔内に第一凸レンズを嵌着している第一支持フレームを単独で陸上における拡大鏡として支障なく使用することができる。
【０００９】
［請求項２の発明］
請求項２の発明においては、前記把持部には係止手段を備えさせたため、水中における水中拡大鏡の非使用時には、該係止手段を水中拡大鏡の使用者の衣類等における保持体等に係止することにより、使用者は水中拡大鏡を手で持つ必要がなくなり、両手を自由に使うことができる。
【図面の簡単な説明】
【００１０】
【図１】図１は、本考案による水中拡大鏡の一例を示す斜視図である。
【図２】図２は、同上水中拡大鏡を示す断面図である。
【図３】図３は、係止手段を示す側面図である。
【考案を実施するための形態】
【００１１】
略円環状をなす第一支持フレーム１の支持孔３内に第一凸レンズ５を嵌着し、略円環状をなす第二支持フレーム７の支持孔９内に第二凸レンズ１１を嵌着する。第二支持フレーム７を第一支持フレーム１に取り外し自在に螺着する。すなわち、図２に示す事例においては、第一支持フレーム１の外周面に雄ねじ１３を形成し、第二支持フレーム７の内周面に雌ねじ１５を形成し、第一支持フレーム１の雄ねじ１３と第二支持フレーム７の雌ねじ１５とを螺合させる。第二支持フレーム７を第一支持フレーム１に螺着したときに第一凸レンズ５と第二凸レンズ１１との間に密閉された空気室１７が形成されるようになす。なお、第一支持フレーム１と第二支持フレーム７とは、例えば、それぞれポリアセタールコポリマー樹脂、塩化ビニル等の合成樹脂により形成され、一例として直径８０ｍｍの円環状体とする。第一凸レンズ５と第二凸レンズ１１とは、一例として、それぞれ直径６３ｍｍのガラス製レンズとする。また、第一凸レンズ５と第二凸レンズ１１とにおける対向面には、それぞれ曇り止め剤を塗布することが望ましい。本考案の水中拡大鏡は、例えば３〜４倍の倍率を有し、両眼で使用するものとする。
【００１２】
更に、第一支持フレーム１には把持部１９を備えさせる。把持部１９は、一例として棒状体とするが、手で把持するに適したものであれば、把持部１９の材質、形状、大きさ等はいかなるものであってもよい。図２に示す把持部１９は、一端１９ａを第一支持フレーム１に取り外し自在に螺着している。把持部１９は、例えばステンレス鋼製とする。
【００１３】
把持部１９には係止手段２１を備えさせる。係止手段２１は、一例として、把持部１９の他端１９ｂにフック２３を取り付け、該フック２３における開口部２５にはばね体２７を取り付ける。該ばね体２７は該開口部２５を塞ぐ方向（図２における矢印Ａ方向）に常時付勢されている。すなわち、一例として図３に示すように、ばね体２７はリング状ばねとし、ばね体２７の各端２７ａ、２７ｂをフック２３にける開口部２５の基部２５ａに相互の位置をずらした状態で固定し、該ばね体２７の略中央部２７ｃがフック２３にける開口部２５の先端部２５ｂに常時当接するようになす。この係止手段２１を水中拡大鏡の使用者の衣類等における保持体（図示せず。）等に係止する際には、例えば、該保持体によりばね体２７の力に抗して該ばね体２７をフック２３における開口部２５の先端部２５ｂから離れる方向に押しながら、該保持体を開口部２５における該ばね体２７の内側に押し込む。また、係止手段２１を該保持体から外す際には、ばね体２７をフック２３における開口部２５の先端部２５ｂから離れる方向に押した状態で、該係止手段２１を該保持体から離脱させればよい。
【符号の説明】
【００１４】
１  第一支持フレーム
３  支持孔
５  第一凸レンズ
７  第二支持フレーム
９  支持孔
１１  第二凸レンズ
１３  雄ねじ
１５  雌ねじ
１７  空気室
１９  把持部
１９ａ  一端
１９ｂ  他端
２１  係止手段
２３  フック
２５ａ  基部
２５ｂ  先端部
２５  開口部
２７  ばね体
２７ａ  端
２７ｂ  端
２７ｃ  略中央部
【図１】
0003196638.tif 000003
【図２】
0003196638.tif 000004
【図３】
0003196638.tif 000005